(57)【要約】【課題】屋内はもとより屋外での分岐配線を簡易・確実に作ることができる構造簡易で安価な分岐回路形成用接続器を提供する。【解決手段】合成樹脂からなり内部に隔壁で仕切られた複数の収納室を有し、かつ収納室の底壁に端子棒の挿入孔を複数個配した第１器体と、速結端子構造を有し複数の挿入孔を前記挿入孔に合致させて各収納室に装填された複数の小型端子具と、第１器体の開口側と接合される合成樹脂製の第２器体とを備え、かつ前記第１と第２の器体の少なくとも一方に、電源電線に対する固定用部が形成されている。【選択図】図１
2006324220.tif 000002
【特許請求の範囲】
【請求項１】
合成樹脂からなり内部に隔壁で仕切られた複数の収納室を有し、かつ収納室の底壁に端子棒の挿入孔を複数個配した第１器体と、速結端子構造を有し複数の挿入孔を前記挿入孔に合致させて各収納室に装填された複数の小型端子具と、第１器体の開口側と接合される合成樹脂製の第２器体とを備え、かつ前記第１と第２の器体の少なくとも一方に、電源電線に対する固定用部が形成されていることを特徴とする防水型分岐回路用接続器。
【請求項２】
電源電線に対する固定用部が、棒状端子挿入孔配設面に対して反対側の面と、これと９０度変位した面にそれぞれ形成されていることを特徴とする請求項１に記載の防水型分岐回路用接続器。
【請求項３】
電源電線に対する固定用部が、弧状に凹入した抱き合わせ片と、これの付け根に欠設された条体挿通穴とを備えていることを特徴とする請求項１または２に記載の防水型分岐回路用接続器。
【請求項４】
棒状端子挿入孔配設面が、外周を囲む立ち上がり壁とこれに端部がつながるように各隔壁に対応した立ち上がり壁とを有していることを特徴とする請求項１に記載の防水型分岐回路用接続器。
【発明の詳細な説明】
【技術分野】
【０００１】
本発明は土木、建築、リニューアル工事などにおける屋外での仮設電気工事に使用するに好適な分岐回路形成用の接続器に関する。
【背景技術】
【０００２】
たとえば、建設工事の仮設配線工事において、各フロアに照明や電源を比較的広範囲に配置する場合、各フロアに分電盤を配置し、幹線より分電盤に配電し、その分電盤より各フロアの電源電線を引出し、前記電源電線に分岐回路を複数設けて分岐し、分岐線の端末にはコネクタボディを設置するのが一般である。
【０００３】
この場合、建設途中であることを配慮して防水形コネクタボディを使用し、外部から雨水などが入らない様に配慮する方法が取られているが、防水コネクタボディを多数配置するには費用がかかり、照度の低い・暗い現場での作業は安全面・作業効率でも問題があった。
すなわち、基線ラインは、通常、３本電線を内包した電源電線（電源コード）の一端にプラグが、他端にコネクタボデイがそれぞれ設けられ、中間に分岐部が所定間隔で数個設けられ、分岐部から延在するコードの端末に３本の棒状端子を導出しているが、従来では、棒状端子を使って更なる分岐回路を形成しようとしても、防水型の適切な接続器がないため、複数の電灯回路や電源回路を簡便に分岐形成することができなかった。
【発明の開示】
【発明が解決しようとする課題】
【０００４】
本発明は前記のような問題点を解消するためになされたもので、その目的とするところは、屋内はもとより屋外での分岐配線を簡易・確実に作ることができる構造簡易で安価な分岐回路形成用接続器を提供することにある。
【課題を解決するための手段】
【０００５】
上記目的を達成するため本発明の分岐回路形成用接続器は、合成樹脂からなり内部に隔壁で仕切られた複数の収納室を有し、かつ収納室の底壁に端子棒の挿入孔を複数個配した第１器体と、速結端子構造を有し複数の挿入孔を前記挿入孔に合致させて各収納室に装填された小型端子具と、第１器体の開口側と接合される合成樹脂製の第２器体とを備え、かつ前記第１と第２の器体の少なくとも一方に、電源電線に対する固定用部が形成されていることを特徴としている。
【発明の効果】
【０００６】
本発明によれば、固定用部で電源電線の所要位置に固定でき、その状態で電源電線分岐部から延びる棒状端子を第１器体の挿入孔を通してそれぞれの小型端子具の挿入孔に差し込むだけで電源側の結線が完了し、灯具、コンセントなど所望の電気器具の電線端部の棒状端子を同様に第１器体の挿入用孔を通してそれぞれの小型端子具の挿入孔に差し込むだけで負荷側の結線が完了する。
したがって、きわめて簡単に３〜５回路の分岐配線を行なうことができる。しかも器体に電源電線に対する固定用部が一体に形成されているので、簡単かつ安定的に電源電線に固定することができる。
そして、第１器体と第２器体は接合封止されているので、各極は密閉状態で独立しており、したがって屋内はもとより、雨水が当たる屋外においても浸水による漏電の恐れなく、安全に使用できる。
【発明を実施するための最良の形態】
【０００７】
電源電線に対する固定用部が、棒状端子挿入孔配設面に対して反対側の面とこれと９０度変位した面にそれぞれ形成されている。
これによれば、横引き電線、縦引き電線のいずれにも対応することができるので使い勝手がよく、しかもいずれの場合にも棒状端子挿入用面が下方向(地面側)に向くので、接続操作が容易であるとともに、雨水の器体内への浸入をよく防止することができる。
【０００８】
好適には、電源電線に対する固定用部が、弧状に凹入した抱き合わせ片とこれの付け根に欠設された条体挿通穴とを備えている。
これによれば、抱き合わせ片の凹入形状により電源電線と密接され、固定用条体挿通穴を通して針金やバンドを電線に懸回することで確実に留め置くことができる。
【０００９】
棒状端子挿入孔配設面は、外周を囲む立ち上がり壁とこれに端部がつながるように各隔壁に対応した立ち上がり壁とを有している。
これによれば、立ち上がり壁により水返し作用が発揮されるので、棒状端子挿入用孔のある面に水が流れにくくなり、防水性をよくすることができる。
【実施例１】
【００１０】
以下添付図面を参照して本発明の実施例を説明するが、本発明は実施例の態様に限定されるものではなく、種々の変更が可能である。
図１ないし図５は本発明による分岐回路形成用接続器の一実施例を示しており、合成樹脂成形体からなる第１器体１と、同じく合成樹脂成形体からなり前記第１器体１に接合された第２器体と、前記第１器体１と第２器体２で画成された複数の密閉状の収納室４にそれぞれ装填された小型端子具３とからなっている。この例では、樹脂は透明なものを用いているが、これに限定されるものではない。
【００１１】
図６は本発明接続器を使用する対象の電源電線の例を示しており、一端にプラグ８ａを、他端にコンセント８ｂを有するたとえば600Ｖ・ＶＣＴ仕様のコード８であり、所要の間隔ごとにＹ字あるいはＴ字などの形状をした分岐モールド８ｃを介して分岐コード８Ａが設けられている。前記コード８と分岐コード８Ａは、それぞれ外層被覆内に３本の被覆型の電線（内１本はアース線）８０、８１、８２を有している。
前記分岐コード８Ａは先端から前記電線８０、８１、８２が導出されており、各電線の先端には棒状端子８０ａ、８１ａ、８２ａそれぞれ連結され、その連結部分を軟質樹脂からなる軟質サック（軟質キャップ）９で被覆している。
【００１２】
本発明の接続器の構成を詳しく述べると、前記第１器体１は、この例では、一組ずつの正面壁１０と側壁１１とで略立方体状のケースとして構成され、内部には底から立ち上がった複数枚(この例では２枚)の隔壁１２が形成されており、これら隔壁により複数(この例では３つ)の有底の収納室４が画成されている。
そして、各収納室４の底壁１３には、棒状端子の挿入が可能な円形状の挿入孔１３０が複数個(この例では４個)互いに所定の間隔をおいて配されている。各挿入孔１３０は開孔縁に面取りが施されている。
また、前記隔壁１２と正面壁１０および側壁１１には、図３と図4のように、補強手段として機能するとともに小型端子具３を正確に位置決めするための突リブ１４が張出し形成されている。
【００１３】
さらに、少なくともひとつの側壁１１には、コード８に縦引きを可能にするために、高さ方向に延在する固定用部１５が形成されている。
該固定用部１５は、コード８の外周に密接可能な半円弧状の抱き合わせ片１５ａを有し、該抱き合わせ片１５ａは付け根側が台片１５ｂによって側壁と一体化しており、その台片１５ｂには、中間部分が欠設されることで抱き合わせ片幅方向に条体挿通穴１５０が貫設されている。
【００１４】
前記底壁１３の外表面すなわち棒状端子挿入穴の配設されている面は、水返し作用により水を面部に流れ難くするために、比較的丈の低い外周立ち上がり壁１３ａと各隔壁に対応した位置にあって端部が前記外周立ち上がり壁１３ａにつながる立ち上がり壁１３ｂとを一体形成しており、立ち上がり壁１３ｂのひとつには案内溝１３ｃが横断状に形成されている。
【００１５】
第２器体２は、この例では蓋ないしカバーとして構成され、後述する小型端子具３を装填した状態で第１器体１の開口部に嵌合され、接着剤などによる接着あるいは超音波重畳による溶着などで強固に接合され、それにより、小型端子具３が密閉空間に封止される。
第２器体２は第１器体１の開口部に嵌合する突周壁２０を有し、これの内側には、隔壁１２の頂面と密接可能な突条２１が形成されている。
【００１６】
そして、第２器体２の頂面には、コード８への横固定を可能にするために、横方向に延在する固定用部２２が形成されている。
該固定用部２２は、コード８の外周に密接可能な半円弧状の抱き合わせ片２２ａを有し、該抱き合わせ片２２ａは付け根側が台片２２ｂによって側壁と一体化しており、その台片２２ｂには、中間部分が欠設されることで抱き合わせ片幅方向に条体挿通穴２２０が貫設されている。この例では、用条体挿通穴２２０は３箇所等間隔で設けられている。条体は、結束バンド、被覆付き金属線または合成樹脂線など任意である。
【００１７】
小型端子具３は、図１と図５に示されているように、正面略長方形をなし側面では後半部がすぼまった形状をなした合成樹脂製のケース体３ａと、該ケース体内に収納される端子アッセンブリ３ｂと、これを押さえ込む栓体３ｃとを備えている。
前記端子アッセンブリ３ｂは、長手方向と直角の断面が逆Ｖ状をなすように屈曲されたバー状の接触片３０と、該接触片３０の２辺に密接する保持用溝樋を後端部に有しそれ以降が逆Ｖ状に広がる複数(この例では左右２枚づつ)の羽根３１０を有する掴持片３１とを備えており、掴持片３１の各羽根には、これの自由端側に一部を残してコ状に切り起こされた板ばね片３１１が形成されている。板ばね片３１１に対向する部位の掴持片３１は開口が形成され、この部分から接触片３０の側面が露出している。
なお、ケース体３ａの内壁には前記接触片３０を所定高さ方向レベルに保持する段部が形成されている。
前記栓体３ｃは電気絶縁材良たとえば合成樹脂製であり、前記掴持片３１の羽根３１０に対応する間隔で複数（この例では４個）の案内用縦穴（挿入孔）３２が貫設されている。これら案内用縦穴３２は前記第１器体１の挿入孔１３０と整合している。
【００１８】
本実施例の使用法と作用を説明すると、小型端子具３を第１器体１の各収納室４にそれぞれ装填すれば、各収納室４内には突リブ１４が４方から張出しているため小型端子具３は安定した位置決めされ、小型端子具３の栓体３ｃに形成されている案内用縦穴３２が第１器体１の底壁１３に設けられている挿入孔１３０と同心状に整合する。
この状態で第２器体２を嵌合し、接着剤あるいは超音波によって接合すれば器体は一体化し、小型端子具３は各収納室に封入される。以上で組み立てが完了するので、製作は容易である。
【００１９】
使用に当たっては、図７のように、前記分岐コード８Ａの端部から導出した３本の被覆型電線８０、８１、８２の先端部を、それぞれ、本発明接続器Ａの３つの小型端子具（ここではわかりやすくするため３Ａ，３Ｂ，３Ｃと表示する）に挿入して接続する。図示するものでは、Ｌ線８０を小型端子具３Ａに、Ｎ線８１を小型端子具３Ｂに、アース線８２を小型端子具３Ｃにそれぞれ挿入して接続する。
【００２０】
詳述すると、小型端子具３Ａ，３Ｂ，３Ｃの４個ずつの案内用縦穴３２は第１器体１の底壁１３に設けられている各挿入孔１３０と整合しているので、挿入孔１３０に棒状端子８０ａ（８１ａ、８２ａ）を差し込めば、案内用縦穴３２を貫通して端子アッセンブリ３ｂにいたる。
当該挿入位置には板ばね片３１１を臨ませたコ状の開孔が存するので、棒状端子８０ａ（８１ａ、８２ａ）がこの開孔を貫通すると端子側面に板ばね片３１１の自由端側が食い込み、同時にバネ効果により棒状端子８０ａ（８１ａ、８２ａ）が前記接触片３０の側面に強く押し付けられる。板ばね片３１１の自由端側が食い込むため、棒状端子８０ａ（８１ａ、８２ａ）は押し込み側には移動が許されるが、引き抜き側には移動ができなくなり、図１のように強固な接続関係の電極が構成される。また、差込み時に軟質サック９が挿入孔１３０の面取り部分に密接するので、的確な防水効果が得られる。
【００２１】
ついで、使用したい電気器具の電線（コード）を本発明接続器の３つの小型端子具３Ａ，３Ｂ，３Ｃの少なくともアース線接続以外のもの３Ａ，３Ｂに挿入して接続する。
電気器具が灯具Ｂである場合には、Ｌ線８０とＮ線８１の２本であるので、図７のように、Ｌ線８０を小型端子具３Ａの空いている孔に、Ｎ線８１を小型端子具３Ｂの空いている孔に挿入すればよい。
こうすれば、前記のように棒状端子が端子アッセンブリ３ｂに抜け止めされる形で連結される。端子アッセンブリ３ｂの接触片３０は共通端子を構成しているので、前記灯具は通電可能な接続形態となる。
【００２２】
また、電気器具がコンセントＣである場合には、Ｌ線８０とＮ線８１及びアース線８２の３本であるので、図７のようにＬ線８０を小型端子具３Ａの空いている孔に、Ｎ線８１を小型端子具３Ｂの空いている孔に、またアース線８２を小型端子具３Ｃの空いている孔に挿入すればよい。
したがって、小型端子具として端子アッセンブリ３ｂの掴持片３１の数および挿入孔の数を５個以上に増し、第１器体１の底壁１３に設けられている挿入孔１３０の数を同数にすることにより、さらに多くの異電極を得ることができる。
【００２３】
こうした接続操作の後かあるいは接続操作に先立って、本発明接続器Ａをコード８に取り付ける。図８と図９はコード８を横に這わせるいわゆる「横引き」での使用例を示しており、第２器体２の後面にある固定用部２２は半円弧状の抱き合わせ片２２ａを有しているので、抱き合わせ片２２ａをコード８に当てれば半周程度に密接する。そこで条体７この例では結束バンドを条体挿通穴２２０、２２０に挿通し、コード８を懸回して係止具に係止させれば、接続器Ａは前後方向、左右方向に動くことがないようにしっかりと安定的に保持される。そして、天井や支線にコードを支架させるには、残る条体挿通穴２２０に条体７´を挿通し、先端のフックなどで掛けとめすればよい。
【００２４】
また、図１０（ａ）（ｂ）はコードを縦に這わせるいわゆる「縦引き」での使用例を示しており、（ａ）は灯具Ｂを分岐接続した例を、（ｂ）は灯具ＢとコンセントＣを分岐接続した例をそれぞれ示している。
この縦引きの場合には、図１１のように第１器体１が側面に高さ方向に延在する半円弧状の抱き合わせ片１５ａを有しているので、これによってコード８の外周に密接し、かつ、台片１５ｂに抱き合わせ片幅方向に条体挿通穴１５０があるので、これに条体たとえば結束バンド７を挿通してコードに懸回し、結束することによりしっかりと保持固定される。
【００２５】
前記横引き、縦引きのいずれの使用状態においても、コード８の一定間隔ごとに本発明接続器Ａを介して灯具ＢやコンセントＣなどの電気器具が分岐接続されているので、安全に工事や各種作業を実施できる。
このときに、本発明の接続器Ａは第１器体１と第２器体２が接合されており、内部では隔壁１２で分離されているので、各極は密閉独立しており接合部からの水の浸水は生じない。また、端子棒挿入面（第１器体下面）1３が下側に向いているので濡れにくく、しかも端子棒挿入面１３が外周立ち上がり壁１３ａとこれに端部がつながる中間立ち上がり壁１３ｂで囲まれているので、水が端子棒挿入面に流れ難い。このため、漏電の懸念はなく安全である。
【００２６】
以上の本発明の効果をまとめると次のとおりである。すなわち、器体を介して小型端子具３に挿入された端子棒により電源側より通電され、端子アッセンブリ３ｂを介して電極が構成され、残余の挿入孔に端子棒を挿入すれば分岐回路を構成することができる。
器体を隔壁１２により複数に分割し、分割された空間４に小型端子具３を各々配置し封止することにより複数の異電極が構成され、しかも個々の電極には複数個の端子棒挿入孔が開いているので、複数異極を持った回路をさらに複数分岐して分岐回路を安価・速結・確実に作るメリットがある。
【００２７】
また、器体の端子棒挿入孔のある面１３は各極ごとに周辺部に立上り１３ａ、１３ｂを設けているので、水返し作用により水が端子棒挿入孔のある面に流れにくく、また、端子棒挿入孔１３０の開孔は面取りがなされ、これに端子棒に被覆されている弾性サック９が密着してシールされるるので、水の浸入を確実に防止できる。
器体は、上面と側面に円弧状断面の抱き合わせ部１５ａ、２２ａを有し、さらにこれの根元に水平方向に穴１５０，２２０が開いていてこの穴を介して条体７，７´を挿通しコード８に抱き固定ことができるので、横引き、縦引きのいずれのコードに対しても、常に端子棒の挿入穴面を地側に向けて安定的に固定、設置することができる。
【００２８】
本発明は図示する態様に限定されるものではない。
１）器体１，２に装填される小型端子具３は２個以上であれば、限定はない。３〜５個であってもよい。
２）各小型端子具３の挿入孔数や端子アッセンブリ３ｂにおける掴持片３１の羽根数は４個に限定されず、これよりも多くても少なくてもよい。しかし、あまり数が少ないと形成できる分岐回路数が少なくなるので好ましくない。
３）小型端子具３の挿入孔、端子アッセンブリ３ｂにおける掴持片３１の羽根の配列は必ずしも複列である場合に限られない。一列に並んでいてもよい。この場合にはそれに対応して器体の隔壁位置、挿入孔の配列を変化させればよい。
４）器体は実施例では上部開口のケースと蓋の組み合わせであるが、これに限らず、第１、第２の器体１，２が半部ずつケースになっていてもよいし、第１器体が下部開口のケース、第２器体が底蓋となっていてもよい。
【図面の簡単な説明】
【００２９】
【図１】（ａ）は本発明にかかる接続器の一実施例を示す部分切欠正面図、（ｂ）は（ａ）を棒状端子挿入前の状態で示す部分的拡大図である。
【図２】本発明接続器の第１器体の部分切欠底面図である。
【図３】本発明接続器の第１器体の部分切欠平面図である。
【図４】本発明接続器の第１器体の部分切欠正面図である。
【図５】（ａ）は本発明における小型端子具の分解状態を示す斜視図、（ｂ）は端子アセンブリの正面図である。
【図６】本発明が適用される基線の部分切欠側面図である。
【図７】本発明接続器に対する接続例を示す説明図である。
【図８】本発明を適用した横引き配線状態を示す側面図である。
【図９】図８の部分拡大斜視図である。
【図１０】（ａ）（ｂ）は本発明を適用した縦横引き配線状態を示す側面図である。
【図１１】図１０の部分的拡大斜視図である。
【符号の説明】
【００３０】
１  第１器体
２  第２器体
３  小型端子具
３２  挿入孔（案内縦穴）
４  空間
７、７´  条体
８  コード（基線）
８Ａ  分岐コード
８０，８１，８２  電線
９  軟質サック
１２  隔壁
１３  底壁
１３０  挿入孔
１３ａ、１３ｂ  立ち上がり壁
１５、２２  固定用部
１５ａ、２２ａ  抱き合わせ部
１５０，２２０  条体挿通孔
Ａ  本発明接続器
Ｂ  灯具
Ｃ  コンセント
【図１】
2006324220.tif 000003
【図２】
2006324220.tif 000004
【図３】
2006324220.tif 000005
【図４】
2006324220.tif 000006
【図５】
2006324220.tif 000007
【図６】
2006324220.tif 000008
【図７】
2006324220.tif 000009
【図８】
2006324220.tif 000010
【図９】
2006324220.tif 000011
【図１０】
2006324220.tif 000012
【図１１】
2006324220.tif 000013